(57)【特許請求の範囲】
【請求項１】
感温素子の両端にそれぞれ接続されたタグ端子と、インバータモジュールの１相の出力端子と接続される電源タグ端子を有し、該１相の出力端子と接続される電源タグ端子にはコンプレッサモータの電源端子と接続されるメスピン端子をその先端に有する接触片が固着されてなる過負荷リレーと、インバータモジュールの他の２相の出力端子と接続される電源タグ端子と、該他の２相の出力端子と接続される電源タグ端子とそれぞれ接続されコンプレッサモータの電源端子と接続される２つのメスピン端子と、該過負荷リレーのメスピン端子を保持する保持部とを有するソケットターミナルからなり、ソケットターミナルの側方に形成された把持手段により該過負荷リレーを一体に把持したことを特徴とするインバータコンプレッサ用過負荷リレー組立体。
【請求項２】
上記把持手段は弾性を有する帯状体により過負荷リレーを把持する形状に形成されることを特徴とする請求項１記載のインバータコンプレッサ用過負荷リレー組立体。
【発明の詳細な説明】
【０００１】
【発明の属する技術分野】
本発明はインバータ駆動タイプの冷蔵庫等に搭載されるコンプレッサに用いられる過負荷リレー組立体に関するものである。
【０００２】
【従来の技術】
冷蔵庫等に搭載されるコンプレッサを駆動するモータとしては、従来は、単相交流電源で駆動される単相誘導モータが主流であったが、近年は、インバータモジュールが小型でかつ安価に入手できるようになったため、単相交流を整流器で直流に変換し、更にインバータモジュールで直流を３相交流に変換して無整流子モータに供給し、この無整流子モータでコンプレッサを駆動している。
【０００３】
これにより、静音運転が達成されると共にコンプレッサの運転効率も飛躍的に向上したが、かかる装置に必須の部材である過電流による過熱により動作する過負荷リレーの取付けに従来と違った工夫が要求されている。即ち、単相交流電源で単相誘導モータを駆動するものでは、単相交流電源と単相誘導モータが直接に接続されるため、電気回路的にはその電源ラインの一方に過負荷リレーを挿入すれば過負荷防止機能と電源供給機能を充足でき、また、機械的な設置においてもコンプレッサに簡単に接触配置すればこと足りた。
【０００４】
しかし、上記したように、コンプレッサの駆動源がインバータモジュールであり、インバータの二次側は直流を変換した３相交流になる。そのため、インバータの二次側の任意の１相に過負荷リレーを接続した状態で過負荷動作をしても、他の２相が接続されているためモータは依然として運転を継続することとなるので、インバータの二次側に過負荷リレーを接続することは許容されない。
【０００５】
そこで、過負荷防止機能はインバータの一次側の単相交流で行わなければならず、しかも過負荷リレーの設置はコンプレッサに接触配置しなければならない。また、電源供給機能は対象とするモータが３相モータであるためインバータの二次側で行う必要があり、電源供給のためのソケットターミナルはコンプレッサに設けられているターミナルと直接接続しなければならない。
【０００６】
このために過負荷リレーと電源供給のためのソケットターミナルはそれぞれ個別に配置しなければならないため、その設置のため作業が面倒であった。また、過負荷リレーとソケットターミナルを一体に形成すれば取付けの作業手間は軽減されるが、一体の部材を新規に作成することコストの面で問題があった。
【０００７】
【発明が解決しようとする課題】
そこで本発明は、上記問題点に鑑みなされたもので、過負荷リレーと電源供給のためのソケットターミナルは既存のものを利用して、あたかも過負荷リレーとソケットターミナルを一体に形成した部材のように組立て、電気的には所要の接続態様を確保しつつ、機械的には、ソケットターミナルをコンプレッサに設けられているターミナルと直接接続しさえすれば、同時に、過負荷リレーもコンプレッサに接触配置でき、コンパクトで作業効率を高めることができるインバータコンプレッサ用過負荷リレー組立体を提供することを目的とする。
【００１０】
【課題を解決するための手段】
本発明の請求項１に係るインバータコンプレッサ用過負荷リレー組立体は、感温素子の両端にそれぞれ接続されたタグ端子と、インバータモジュールの１相の出力端子と接続される電源タグ端子を有し、該１相の出力端子と接続される電源タグ端子にはコンプレッサモータの電源端子と接続されるメスピン端子をその先端に有する接触片が固着されてなる過負荷リレーと、インバータモジュールの他の２相の出力端子と接続される電源タグ端子と、該他の２相の出力端子と接続される電源タグ端子とそれぞれ接続されコンプレッサモータの電源端子と接続される２つのメスピン端子と、該過負荷リレーのメスピン端子を保持する保持部とを有するソケットターミナルからなり、ソケットターミナルの側方に形成された把持手段により該過負荷リレーを一体に把持した構成とする。
【００１１】
こうして、過負荷リレーと電源供給のためのソケットターミナルは既存のものを利用して、あたかも過負荷リレーとソケットターミナルを一体に形成した部材のように組立て、電気的には所要の接続態様を確保しつつ、機械的には、ソケットターミナルをコンプレッサに設けられているターミナルと直接接続しさえすれば、同時に、過負荷リレーもコンプレッサに接触配置できる。
【００１２】
本発明の請求項２に係るインバータコンプレッサ用過負荷リレー組立体は、感温素子の両端にそれぞれ接続されたタグ端子と、インバータモジュールの１相の出力端子と接続される電源タグ端子を有し、該１相の出力端子と接続される電源タグ端子にはコンプレッサモータの電源端子と接続されるメスピン端子をその先端に有する接触片が固着されてなる過負荷リレーと、インバータモジュールの他の２相の出力端子と接続される電源タグ端子と、該他の２相の出力端子と接続される電源タグ端子とそれぞれ接続されコンプレッサモータの電源端子と接続される２つのメスピン端子と、該過負荷リレーのメスピン端子を保持する保持部とを有するソケットターミナルからなり、ソケットターミナルの側方に形成され、弾性を有する帯状体により過負荷リレーを把持する形状の把持手段により該過負荷リレーを一体に把持した構成とする。
【００１３】
こうして、電源供給のためのソケットターミナルと過負荷リレーとをソケットターミナルの側方に形成され弾性を有する帯状体によりしっかり固定できる。そして、現場での組立を簡単に行うことができるので作業効率を高めると同時にインバータコンプレッサ用過負荷リレー組立体のコンパクト化が図られる。
【００１４】
【発明の実施の形態】
本発明のインバータコンプレッサ用過負荷リレー組立体の実施の形態を図１及び図２に基づいて以下に詳述する。図１（Ａ）は本発明の過負荷リレーとソケットターミナルとの組立体の裏面側面図、図１（Ｂ）はコンプレッサに設けられているターミナル（電源端子）、図１（Ｃ）は電気回路図である。
【００１５】
図２は過負荷リレーとソケットターミナルとの組立体の斜視図であり、同図（Ａ）は組立前の状態図である。ソケットターミナル２の側方には、弾性を有する帯状体により形成され、過負荷リレー１を把持する形状にされた把持手段３が取付けられている。そして、この把持手段３により過負荷リレー１をソケットターミナル２と一体になるように把持する。
【００１６】
図において、１は過負荷リレー、２はソケットターミナルであり、これらは既にそれぞれ個別に市販されているものである。３は過負荷リレーを把持する把持手段、４は接触片保持部、５はコンプレッサの温度を検知する温度センサ、６は先端にメスピン端子７を有する接触片、８，９はメスピン端子、１０はタグ端子である。
【００１７】
過負荷リレー１は、表面にはモータが組込まれたコンプレッサに面接触することによりコンプレッサ温度を検知する温度センサ５を有し、裏面には端子番号１２，１３，１４で表示されるタグ端子が設けられている。端子番号１３，１４のタグ端子は通常市販されている過負荷リレーに装着されているが、端子番号１２のタグ端子は本発明のために新たに付加したものであり、それには先端にメスピン端子７を有する接触片６が固着されている。
【００１８】
過負荷リレー１の電気回路は図１（Ｃ）に示すように、端子番号１３のタグ端子は単相交流電源の１端子に接続され、端子番号１４のタグ端子はダイオードブリッジ等の整流回路の入力端子に接続される。そして端子番号１３，１４のタグ端子の他方端間にはバイメタル等の感温素子が接続されていて、過電流による過熱と温度センサ５によるコンプレッサ温度の上昇を検知して過負荷防止の機能を果たしている。
【００１９】
ソケットターミナル２の表面にはメスピン端子７，８，９が、図１（Ｂ）に示すコンプレッサに設けられているターミナルのＲ、Ｓ、Ｔ相のオスピン端子に対応する位置に設けられている。また、ソケットターミナル２の上面には先端にメスピン端子が設けられている接触片６を係合保持する保持部４が形成されている。従って、ソケットターミナル２の表面のメスピン端子７は過負荷リレー１の接触片６の先端に設けられているメスピン端子７が相当することとなる。
【００２０】
ソケットターミナル２の側方には、弾性を有する帯状体が設けられ、過負荷リレー１を把持する形状にされた把持手段３が取付けられている。そして、この把持手段３により過負荷リレー１をソケットターミナル２と一体になるように把持する。
【００２１】
ソケットターミナル２の裏面には、コンプレッサの駆動源であるインバータモジュールの二次側の３相交流端子Ｒ、Ｓ、Ｔの内の２つと接続される端子番号１０，１１で表示される２個のタグ端子が設けられている。ソケットターミナル２の電気回路は、図１（Ｃ）に示すように、端子番号１０，１１で表示されるタグ端子はそれぞれ表面のメスピン端子８，９と内部で接続されている。また、過負荷リレー１に装着されている端子番号１２のタグ端子もインバータモジュールの二次側の３相交流端子の残りの１つに接続される。そして過負荷リレー１の端子番号１３，１４のタグ端子はインバータモジュールの一次側の電源ラインに直列に接続され、過負荷リレー１が動作すると電源ラインを遮断することができる。
【００２２】
図２に過負荷リレー１とソケットターミナル２との組立体の斜視図を示し、同図（Ａ）は組立前の状態図である。そして、ソケットターミナル２の側方に取付けられている、弾性を有する帯状体により形成された把持手段３に過負荷リレー１を押し込んで弾性力により把持させる。把持手段３は過負荷リレー１を把持し易いように過負荷リレー１の形状に形成されているので、スムーズに把持手段３によりソケットターミナル２と一体になるように把持できる。
【００２３】
同時に、過負荷リレー１の端子番号１２と表示されたタグ端子に固着された、先端にメスピン端子７を有する接触片６が、ソケットターミナル２の上面に形成された保持部４に係合保持されるので、過負荷リレー１が回転するような不安定な状態にはならず、しっかりした固着がなされる。そしてこの結果、過負荷リレー１とソケットターミナル２とが一体に組立てられた状態図は図２（Ｂ）に示す通りである。このように構成された負荷リレー組立体を図１（Ｂ）のターミナルに接続すると、過負荷リレーの温度センサ５もコンプレッサに同時に接触配置できる。
【００２４】
図１（Ａ）に示す過負荷リレー組立体を、図１（Ｂ）に示される、コンプレッサに設けられているターミナルのＲ、Ｓ、Ｔ相のオスピン端子に対して図面上部から押し込むことにより、ソケットターミナル２の表面にメスピン端子７，８，９が係合してコンプレッサのモータへの電気回路は完結される。
【００２５】
【発明の効果】
以上のように、本発明のインバータコンプレッサ用過負荷リレー組立体は、過負荷リレーと電源供給のためのソケットターミナルは既存のものを利用して、あたかも過負荷リレーとソケットターミナルを一体に形成した部材のように組立て、電気的には所要の接続態様を確保しつつ、機械的には、ソケットターミナルをコンプレッサに設けられているターミナルと直接接続しさえすれば、同時に、過負荷リレーもコンプレッサに接触配置できるので取付け作業が簡単になる。
【００２６】
また、電源供給のためのソケットターミナルと過負荷リレーとをソケットターミナルの側方に形成され弾性を有する帯状体によりしっかり固定できる。そして、現場での組立を簡単に行うことができるので作業効率を高めると同時にインバータコンプレッサ用過負荷リレー組立体のコンパクト化が図られる。
【図面の簡単な説明】
【図１】（Ａ）は本発明の過負荷リレーとソケットターミナルとの組立体の裏面側面図、（Ｂ）はコンプレッサに設けられているターミナル、（Ｃ）は電気回路図。
【図２】本発明の組立体の斜視図であり、（Ａ）は組立前の状態図、（Ｂ）は一体に組立状態図。
【符号の説明】
１                過負荷リレー
２                ソケットターミナル
３                把持手段
４                接触片保持部
５                温度センサ
６                接触片
７，８，９        メスピン端子
１０〜１４        タグ端子
【図１】
0003685600.tif 000002
【図２】
0003685600.tif 000003